(57)【要約】【課題】  多様な設置態様に対応可能なプラズマディスプレイ装置を提供する。【解決手段】  プラズマディスプレイ装置１００を、表示パネル１２０を備えた表示筐体１１０と、この表示筐体１１０を着脱可能に保持する保持筐体１７０とを含んで構成し、表示筐体１１０は、表示パネル１２０の前部を覆う電波シールドシート１４５と、表示パネル１２０を強度的に保持し、かつ裏面を導電性の部材で覆う裏面パネル１５０と、表示筐体１１０の周側面を導電性の部材で覆う端部部材１６０と、Ｙ電極群とＸ電極群が接続される接続部１２２、１２４と、アドレス電極群が接続されるアドレス接続部１２５とを備え、保持筐体１７０は、接続受部１２６、１２７とアドレス接続受部１２８と駆動部１３３とを備え、駆動部１３３は、Ｙ駆動部１３２とＸ駆動部１３０とアドレス駆動部１３１とを含んで構成され、表示筐体１１０と保持筐体１７０は、前記接続部と前記接続受部及び前記アドレス接続部と前記アドレス接続受部との連結を介して着脱可能に接続される。【選択図】  図１
2009239560.tif 000002
【特許請求の範囲】
【請求項１】
水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、
前記プラズマディスプレイ装置は、前記表示パネルを備えた表示筐体と、この表示筐体を着脱可能に保持する保持筐体とを含んで構成され、
前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群と前記サステイン電極群が接続される接続部と、アドレス電極群が接続されるアドレス接続部とを備え、
前記保持筐体は、前記表示筐体の前記接続部と前記アドレス接続部の取り付け位置に対応して設けられる接続受部とアドレス接続受部と、これら接続受部とアドレス接続受部と接続される駆動部とを備え、
前記駆動部は、前記スキャン電極群に維持放電パルスを印加するＹ駆動部と、前記サステイン電極群に維持放電パルスを印加するＸ駆動部と、前記アドレス電極群にデータパルスと駆動電圧を供給するアドレス駆動部とを含んで構成され、
前記表示筐体と前記保持筐体は、前記接続部と前記接続受部及び前記アドレス接続部と前記アドレス接続受部との連結を介して着脱可能に接続される
ことを特徴とするプラズマディスプレイ装置。
【請求項２】
水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、
前記プラズマディスプレイ装置は、前記表示パネルを備えた表示筐体と、この表示筐体を着脱可能に保持する保持筐体とを含んで構成され、
前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群が接続されるＹ接続部と、前記サステイン電極群が接続されるＸ接続部と、アドレス電極群が接続されるアドレス接続部とを備え、
前記保持筐体は、前記表示筐体の前記Ｙ接続部と前記Ｘ接続部と前記アドレス接続部の取り付け位置に対応して設けられるＹ接続受部とＸ接続受部とアドレス接続受部と、これらＹ接続受部とＸ接続受部とアドレス接続受部と接続される駆動部とを備え、
前記駆動部は、前記Ｙ接続受部を介して前記スキャン電極群の各ライン毎に独立してスキャンパルスを印加するＹ処理部と、該Ｙ処理部を介して前記スキャン電極群に維持放電パルスを印加するＹ駆動部と、前記Ｘ接続受部を介して前記サステイン電極群に維持放電パルスを印加するＸ駆動部と、前記アドレス接続受部を介して前記アドレス電極群にデータパルスと駆動電圧を供給するアドレス駆動部とを含んで構成され、
前記Ｙ接続受部に隣接してＹ処理部、前記Ｘ接続受部に隣接してＸ駆動部、アドレス接続受部に隣接してアドレス駆動部がそれぞれ設けられ、
前記表示筐体と前記保持筐体は、前記Ｙ接続部と前記Ｙ接続受部、前記Ｘ接続部と前記Ｘ接続受部及び前記アドレス接続部と前記アドレス接続受部との連結を介して着脱可能に接続される
ことを特徴とするプラズマディスプレイ装置。
【請求項３】
水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、
前記プラズマディスプレイ装置は、前記表示パネルを備えた表示筐体と、この表示筐体を着脱可能に保持する保持筐体とを含んで構成され、
前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群と前記サステイン電極群が接続されるＸＹ接続部と、アドレス電極群が接続されるアドレス接続部とを備え、
前記保持筐体は、前記表示筐体の前記ＸＹ接続部と前記アドレス接続部の取り付け位置に対応して設けられるＸＹ接続受部とアドレス接続受部と、これらＸＹ接続受部とアドレス接続受部と接続される駆動部とを備え、
前記駆動部は、前記ＸＹ接続受部を介して前記スキャン電極群の各ライン毎に独立してスキャンパルスを印加するＸＹ処理部と、該ＸＹ処理部を介して前記スキャン電極群に維持放電パルスを印加するＹ駆動部と、前記ＸＹ接続受部を介して前記サステイン電極群に維持放電パルスを印加するＸ駆動部と、前記アドレス接続受部を介して前記アドレス電極群にデータパルスと駆動電圧を供給するアドレス駆動部とを含んで構成され、
前記ＸＹ接続受部に隣接してＸＹ処理部、前記アドレス接続受部に隣接してアドレス駆動部がそれぞれ設けられ、
前記表示筐体と前記保持筐体は、前記ＸＹ接続部と前記ＸＹ接続受部及び前記アドレス接続部と前記アドレス接続受部との連結を介して着脱可能に接続される
ことを特徴とするプラズマディスプレイ装置。
【発明の詳細な説明】
【技術分野】
【０００１】
本発明は、薄型のプラズマディスプレイ装置に係り、特に多様な設置環境に対応できるプラズマディスプレイ装置に関するものである。
【背景技術】
【０００２】
従来のプラズマディスプレイパネル（以下ＰＤＰという）は、前面基板である透明ガラス基板に水平方向に平行に配置されたスキャン電極群（Ｙ電極群）とサステイン電極群（Ｘ電極群）とが形成され、背面基板にＹ電極群とＸ電極群と直交するアドレス電極群（Ａ電極群）を形成し、それらの交点のセルを選択して放電させ、発生する紫外線で蛍光体を発光させる構造を備えている。このような構造を備えるＰＤＰでは、液晶ディスプレイパネルのようにバックライトを用いないので薄型化を実現しやすい構造となっている。
【０００３】
このような構造からなるＰＤＰは、Ｙ電極群とＸ電極群が、その両側または片側端部に配置されるＸＹ接続部と接続され、このＸＹ接続部とフレキシブル配線シートを介して夫々のＸ、Ｙ駆動部と接続される。また、Ａ電極群には、それぞれ接続用の端子を有するＡ接続部が端部に形成され、フレキシブル配線シートを介し、Ａ駆動部に接続される。各々の駆動部は、点灯セルの選択や放電のための制御を行う制御部に接続され、制御される。そして、前記構造では、夫々の駆動部と制御部はＰＤＰの裏面側に配置される。
【０００４】
特に、この従来技術では、サステイン電流を供給するためのコンデンサを備えたＸ駆動部と、スキャン電圧を供給するためのコンデンサを備えたＹ駆動部と、これらをＸＹ接続部に接続するためのＸＹ処理部とを分離して設けた技術が開示されている。
【０００５】
また、このＰＤＰでは、高電圧での放電が行われ、高速のパルス電流が繰り返し流れるため、他の機器に比べて不要電波が多く放出されている。そこで、ＰＤＰの前面には抵抗膜や金属メッシュで覆われ、裏面側は金属シャーシと、これを覆う背面カバーで覆う構造を備えている。
【０００６】
【特許文献１】特開２００１−２６５２７８号公報
【特許文献２】特開２００１−２６５２４２号公報
【発明の開示】
【発明が解決しようとする課題】
【０００７】
近年、薄型ディスプレイは大型化し、益々薄型の要求が高まっている。しかし、前記従来のＰＤＰでは、ＰＤＰの裏面側に駆動部や制御部などの基板が配置されているために、この基板の厚さが薄型化を困難にしている。加えて、ＰＤＰでは高電圧での放電が行われるため、この放電に伴う熱を排気するために排熱通路を確保する必要があり、背面カバーとＰＤＰや金属シャーシとの間に十分な排熱通路を確保する課題があるために、薄型化を困難にしている。
【０００８】
また、このような大型表示パネルは床面やテーブル面に設置すると、転倒防止を図るスタンドの大きさにより、薄型化しても大きなメリットが得難いため、壁面取り付けや多様な設置体系を取れることが望まれる。
【０００９】
そこで、本発明の目的は、多様な設置態様に対応可能なプラズマディスプレイ装置を提供することにある。
【課題を解決するための手段】
【００１０】
本発明に係るプラズマディスプレイ装置は、前記目的を達成するために、表示パネルを備えた表示筐体と、この表示筐体を着脱可能に保持する保持筐体とを含んで構成する。
【００１１】
具体的には、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、このプラズマディスプレイ装置を、前記表示パネルを備えた表示筐体と、この表示筐体を着脱可能に保持する保持筐体とを含んで構成され、前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群と前記サステイン電極群が接続される接続部と、アドレス電極群が接続されるアドレス接続部とを備え、前記保持筐体は、前記表示筐体の前記接続部と前記アドレス接続部の取り付け位置に対応して設けられる接続受部とアドレス接続受部と、これら接続受部とアドレス接続受部と接続される駆動部とを備え、前記駆動部は、前記スキャン電極群に維持放電パルスを印加するＹ駆動部と、前記サステイン電極群に維持放電パルスを印加するＸ駆動部と、前記アドレス電極群にデータパルスと駆動電圧を供給するアドレス駆動部とを含んで構成され、前記表示筐体と前記保持筐体は、前記接続部と前記接続受部及び前記アドレス接続部と前記アドレス接続受部との連結を介して着脱可能に接続される。
【発明の効果】
【００１２】
本発明によれば、薄型の表示パネルを着脱可能に設けたので、この表示パネルを多様な表示基台部に装着することで多様な設置対応を取ることができる。
【発明を実施するための最良の形態】
【００１３】
以下、図１から図１０を参照して、この実施の形態に係るテレビジョン受像機を詳細に説明する。ここで、図１から図７が第１の実施の形態に係るテレビジョン受像機、図８と図９が第２実施の形態に係るテレビジョン受像機を示し、図１０は裏面パネルの他の応用例を示している。また、説明に当たっては、同一部位や機能部材については同一符号を持って示し、重複した説明を省略する。
【００１４】
(第１の実施の形態)
図１から図７は第１の実施の形態に係るテレビジョン受像機である。図１がテレビジョン受像機の概略図であり、図１（ａ）が裏面側の外観斜視図、図１（ｂ）が表示筺体の装着状態を示す裏面側の外観斜視図、図１（ｃ）がプラズマディスプレイ装置１００を壁面に取り付けた状態の断面図ある。図２はテレビジョン受像機の装置ブロック図である。図３、図４は縦断面図である。図５はプラズマディスプレイ装置の外観斜視図であり、図５（ａ）が前方斜視図、図５（ｂ）が後方斜視図である。図６はプラズマディスプレイ装置の寸法体系図である。図７は、プラズマディスプレイ装置の設置状態図であり、図７(ａ)が床面設置状態図、図７（ｂ）が壁面設置状態図、図７（ｃ）が他の表示基台部に取り付けた状態図である。
【００１５】
先ず、図１を参照して、この実施の形態に係るテレビジョン受像機の概略構造を説明する。図１において、符号１で総括的に示すテレビジョン受像機は、コンテンツ情報を表示するプラズマディスプレイ装置１００と、チューナや記憶装置を備えて前記プラズマディスプレイ装置１００にコンテンツ情報を提供するテレビジョン受像機本体２００とを含んで構成される。この実施の形態に係るテレビジョン受像機１は、プラズマディスプレイ装置１００とテレビジョン受像機本体２００に内蔵する夫々の装置を見直し、それらの配置構成を工夫することでプラズマディスプレイ装置１００の薄型化を実現した構造としている。
【００１６】
前記プラズマディスプレイ装置１００は、複数の画素が配置され、この画素毎の射出光の制御により、主面より画像を表示するプラズマディスプレイ方式の表示パネル１２０を含んで構成される表示筺体１１０と、この表示筺体１１０を支持する保持筺体１７０とを含んで構成される。前記テレビジョン受像機本体２００は、箱型の筐体を備え、その内部にテレビチューナや記憶装置などを備えて構成される。
【００１７】
この実施の形態では、前記テレビジョン受像機本体２００にアンテナやケーブルテレビ回線、あるいはインターネット回線を接続することにより、これらから取得したコンテンツ情報、あるいは内部の記憶装置に格納したコンテンツ情報を前記プラズマディスプレイ装置１００に提供して、これをプラズマディスプレイ装置１００の表示画面１０１に表示することができる。このテレビジョン受像機１では、図示しないリモコンやテレビジョン受像機本体１００に設けた操作スイッチを介して、各種の操作を実行することができる。
【００１８】
前記表示パネル１２０は、図１（ｃ）に示すように、前面基板１２１である透明ガラス基板に水平方向に平行に配置されたスキャン電極群（Ｙ電極群という）とサステイン電極群（Ｘ電極群という）とが形成され、背面基板１２２に前記Ｙ電極群とＸ電極群と直交するアドレス電極群（Ａ電極群という）を形成し、それらの交点のセルを選択して放電させ、発生する紫外線で蛍光体を発光させる構造を備えている。このため、この実施の形態に係る表示筐体１１０では、この表示パネル１２０を、前面側に配置される電波シールドシート１４５と、前記表示パネル１２０の裏面側に配置される裏面パネル１５０と、表示パネル１２０の周囲の端部を覆う端部部材１６０とで覆うことで、この表示パネル１２０から発生する電波や外部電波の影響を受けないシールド構造を実現している。
【００１９】
そして、この実施の形態では、この表示パネル１２０の一方の片側端部にＹ電極群と接続されるＹ接続部１２３を備え、他方の片側端部にＸ電極群と接続されるＸ接続部１２４を備え、この表示パネルの下端部にＡ電極群と接続されるＡ接続部１２５とを備え、この背面基板１２２とＹ接続部１２３及びＸ接続部１２４を介して保持筺体１７０に対して着脱可能に接続することができる。
【００２０】
一方、保持筺体１７０は、両側に上方へ張り出した一対の柱状筺体１７１と、この柱状筺体１７１の下端部を連結する下部連結筺体１７２とから構成される。一対の柱状筺体１７１と下部連結筺体１７２の前面部はフラットに形成され、一対の柱状筺体１７１の前面にはＹ接続部１２３と接続されるＹ接続受部１２６と、Ｘ接続部１２４と接続されるＸ接続受部１２７が夫々対応する位置に設けられ、下部連結筺体１７２の前面にはＡ接続部１２５と接続されるＡ接続受部１２８が設けられている。
【００２１】
また、前記Ｙ接続受部１２６を備えた柱状筺体１７１ａには基板状のＹ処理部１２９を内在させ、Ｘ接続受部１２７を備えた柱状筺体１７１ｂには基板状のＸ駆動部１３０を内在させている。また、下部連結筺体１７２には、Ａ接続受部１２８と接続される基板状のＡ駆動部１３１と、Ｙ処理部１２９と接続される基板状のＹ駆動部１３２と、操作基板１３３と、スピーカ１３４を内在させている。ここで、Ｙ駆動部１３２はＡ駆動部１３１の上部に配置され、操作基板１３３とスピーカ１３４はＡ駆動部１３１の下部に配置されている。
【００２２】
保持筺体１７０は、その両側の下部に一対のスタンド脚部１９５が着脱可能に取り付けられる。この実施の形態では、保持筺体１７０に一対のスタンド脚部１９５を取り付けることにより、床面やテレビ台の上部に保持筺体１７０を支持している。また、一対のスタンド脚部１９５を取り外すことにより、保持筺体１７０の裏面を壁面に取り付けることができる。
【００２３】
この実施の形態では、Ｘ駆動部１３０とＡ駆動部１３１とＹ駆動部１３２とを含む駆動部１３３を制御するプラズマディスプレイ装置１００の表示制御部２２０を、テレビジョン受像機本体２００に備える構造としている。したがって、この実施の形態では、表示筺体１１０を保持筺体１７０に取り付けることにより、Ｙ接続部１２３とＹ接続受部１２６、Ｘ接続部１２４とＸ接続受部１２７、Ａ接続部１２５とＡ接続受部１２８とが夫々接続される。この接続によりＹ電極群はＹ処理部１２９からＹ駆動部１３２に、Ｘ電極群はＸ駆動部１３０に、Ａ電極群はＡ駆動部１３１に夫々接続され、更に、これら駆動部１３３は前記表示制御部２２０にコードを介して接続される。
【００２４】
そして、この実施の形態に係るテレビジョン受像機１の大きな特徴の１つは、従来、表示パネル１２０の裏面に並設していた駆動部１３３や表示制御部２２０などの回路基板を表示パネル１２０から分離して、表示パネル１２０を独立した構造とした点にある。即ち、この実施の形態では、表示パネル１２０の前面を電波シールドシート１４５で覆い、裏面側を導電性のある板状の裏面パネル１５０で覆うとともに、周囲を導電性のある端部部材１６０で覆うことで、表示パネル１２０の周囲を電波シールドされた板状の表示筺体１１０として独立した構造としている。そして、裏面パネル１５０に、Ｙ接続部１２３とＸ接続部１２４及びＡ接続部１２５を設けて、これを保持筺体１７０に設けたＹ接続受部１２６とＸ接続受部１２７及びＡ接続受部１２８と着脱可能に設ける構造を採用している。
【００２５】
この構造を備えた表示筺体１１０は、多様な形態を備えた保持筺体１７０に取り付けることにより、多様な設置形態を取る事ができる。特に、この実施の形態に係る表示筺体１１０の裏面パネル１５０は、表示パネル１２０の強度を確保する機能と、外装体としての機能と、放熱の機能を備えている。しかも、この実施の形態では、裏面パネル１５０を導電性のある金属材料で形成することで、電波や外部電波の影響を受けないシールド機能をも持たせている。なお、裏面パネル１５０を導電性のない強化ガラスなどで形成するようにしてもよいが、この場合、電波シールドシートを貼るようにする。
【００２６】
このように、この実施の形態では、表示パネル１２０の裏面を、電波シールド機能と補強機能と放熱機能と外装機能を備えた板状の裏面パネル１５０で覆うことにより、表示筺体１１０の薄型化を実現している。
【００２７】
また、この実施の形態に係るテレビジョン受像機１の他の大きな特徴の１つは、駆動部１３３を動作制御する表示制御部２２０を、テレビジョン受像機本体２００に設けることにより、駆動部１３３を備えて表示筺体１１０を着脱可能に支持する保持筺体１７０を小型化、特に薄型化を実現している点にある。
【００２８】
また、この実施の形態に係るテレビジョン受像機１の他の大きな特徴の１つは、表示筺体１１０の裏面側を大きく露出するように、Ｙ接続受部１２６とＸ接続受部１２７とを備えた柱状筺体１７１を表示筺体１１０の両側に、Ａ接続受部１２８を備えた下部連結筺体１７２を表示筺体１１０の下部にそれぞれ設けることにより薄型化を図っている点にある。特に、柱状筺体１７１には表示パネル１２０に近接して配置される必要のあるＹ処理部１２９とＸ駆動部１３０を左右に分離して設けることで、柱状筺体１７１を薄く、かつ細い外形状として、ユーザに目立ちやすい上部形状を薄く形成している。しかも、表示筺体１１０の裏面は裏面パネル１５０を大きく露出させることができるので、この広い露出面を利用して放熱効率を向上させることができる。加えて、ユーザに目立ちやすい表示パネル１２０の上辺は薄く、両側と下部は保持筺体１７０で支持されるので強度的にも強くすることができる。
【００２９】
また、この実施の形態に係るテレビジョン受像機１の他の大きな特徴の１つは、表示制御部２２０や電源などの画質に影響の少ない基板を表示パネル１２０から切り離して、画質に大きく影響するＹ処理部１２９を表示パネル１２０の一方の片側にその辺方向に沿って隣接して設けている点にある。そしてまた、Ｘ駆動部１３０を表示パネル１２０の他方の片側にその辺方向に沿って隣接して設け、Ａ駆動部１３１とＹ駆動部１３２を表示パネル１２０の下部にその辺方向に沿って隣接して設けている。
【００３０】
ここで、Ｙ処理部１２９は、１ライン毎に独立してスキャンパルスを印加するために必要なドライバＩＣを含み、同時にＹ駆動部１３４からのリセット、維持放電を全ピン出力する。このように、Ｙ処理部１２９はパルス電極を直接駆動するためのドライバ回路であるため、この実施の形態では表示パネル１２０の近傍に近接配置することで、ＩＣ出力からのインピーダンス増大の影響を少なくしている。
【００３１】
また、Ｙ駆動部１３２とＸ駆動部１３０は、パネル放電発光のドライブ供給源であり、交互に配置されるＸ電極群とＹ電極群に維持放電パルスを印加する回路である。またＸ−Ｙ間の面リセットで1フレーム毎の表示を更新可能とする。なお、Ｙ電極群はデータアドレス時のスキャンパルスの印加も行う。
【００３２】
また、Ａ駆動部１３１は、Ａ電極群を駆動するためのＡ接続部１２５にデータパルスと駆動電源を供給する中継基板である。ここで、Ｙ接続部１２３とＸ接続部１２４及びＡ接続部１２５は、電気的及び物理的に表示筺体１１０と保持筺体１７０とを着脱可能に連結するだけでなく、回路基板を含んでいる。特に、Ａ接続部１２５では正反２相のクロックエッジで2チップ共通のデータバスをシフトして全体の転送速度を見かけ上2倍で動かすことができる。この実施の形態では、Ａ駆動部１３１がＡ接続部１２５に対してクロックデータ、データ、駆動電圧を供給するため、Ａ接続部１２５の端子に直接直結した方が望ましいので、Ａ接続部１２５に隣接して設けている。
【００３３】
このように、この配置構成によれば、ユーザに目立ちやすいプラズマディスプレイ装置１００の上部を薄く、かつコンパクトにまとめることができる。また、この実施の形態では、表示制御部２２０や電源などをテレビジョン受像機本体２００に設けることで、新たな装置を追加することなく、コンパクトで配線が良好なテレビジョン受像機１を実現している。
【００３４】
また、この実施の形態に係るテレビジョン受像機１の他の大きな特徴の１つは、駆動部１３３やＹ処理部１２９を表示筐体１１０の後側に、それぞれ独立して重ねて配置することで、保持筺体１７０の裏面側をフラットな取付面１７３とすることができる点にある。このため、この取付面１７３に設けた取付穴１７４を介して壁面に取り付けることができる。この壁面に取り付ける設置形態では、保持筺体１７０の厚さにより、表示筺体１１０の裏面パネル１５０を壁面１１から浮かして隙間１０を形成することができるから、この隙間１０を介して裏面パネル１５０の放熱効率を高めることができる。
【００３５】
また、この実施の形態に係るテレビジョン受像機１の他の大きな特徴の１つは、保持筺体１７０の放熱効率を高めた点にある。即ち、この実施の形態では、下部連結筺体１７２の下端部に吸気部１７５、上端部に第１排気部１７６、柱状筺体１７１の上端部に第２排気部１７７を設けている。このため、吸気部１７５から取り込まれた空気は、下部連結筺体１７２の内部基板を冷却した後に第１排気部１７６から放出される。また、吸気部１７５から取り込まれた空気は、一対の柱状筺体１７１の内部基板を冷却した後に第２排気部１７７から放出される。
【００３６】
この構造によれば、図１（ｃ）に示すように、保持筺体１７０を壁面に取り付けた状態でも、吸気部１７５と第１排気部１７６及び第２排気部１７７が塞がれないので、放熱効果を維持することができる。特に、第１排気部１７６から放出される空気は、裏面パネル１５０と壁面１１ｔの間の隙間１０に放出されるため、この隙間１０を煙突効果を利用して効率よく隙間１０の上方の空間に放出される。この際、隙間１０を通過する空気は裏面パネル１５０から放射される熱も取ることとなるため、放熱効果を向上させることができる。また、この実施の形態では、一対の柱状筺体１７１の放熱も煙突効果を利用して効率よく放熱することができる。
【００３７】
以下、図２から図７を参照して、この実施の形態に係るテレビジョン受像機１を詳細に説明する。
【００３８】
先ず、図２を参照して、装置構成を説明する。図２において、前記したように、この実施の形態に係るテレビジョン受像機１は、プラズマディスプレイ装置１００とテレビジョン受像機本体２００と図示しないリモコンとを含んで構成される。ここで、リモコンは赤外線信号を介してテレビジョン受像機本体２００を遠隔操作することができるものであるが公知の技術を用いているので詳細説明を省略する。
【００３９】
プラズマディスプレイ装置１００は、表示パネル１２０を備えた表示筺体１１０と、この表示筺体１１０を着脱可能に支持する保持筺体１７０とを含んで構成される。
【００４０】
表示パネル１２０は、前面基板１２１である透明ガラス基板に水平方向に平行に配置されたＹ電極群１３７とＸ電極群１３８とが形成され、背面基板１２２にＹ電極群１３７とＸ電極群１３８と直交するＡ電極群１３９を形成し、それらの交点のセル１４０を選択して放電させ、発生する紫外線で蛍光体を発光させることでコンテンツ情報を表示させることができる。
【００４１】
Ｙ電極群１３７とＸ電極群１３８とは対向する片側に平行して延伸され、Ｙ電極群１３７は一方の片側に設けたＹ接続部１２３に接続され、Ｘ電極群１３８は他方の片側に設けたＸ接続部１２４に接続される。また、Ａ電極群１２５は下側に延伸して下部に設けたＡ接続部１２５に接続されている。
【００４２】
一方、Ｙ接続部１２３とＸ接続部１２４及びＡ接続部１２５に着脱可能に接続されるＹ接続受部１２６とＸ接続受部１２７及びＡ接続受部１２８は、保持筺体１７０の所定の位置に設けられる。そして、Ｙ接続受部１２６は、フレキシブル配線シート１４１を介して隣接するＹ処理部１２９接続され、このＹ処理部１２９は、下部連結筺体１７２に設けたＡ駆動部１３１に接続される。また、Ｘ接続受部１２７は、フレキシブル配線シート１４１を介して隣接するＸ駆動部１３０に接続される。更に、Ａ接続受部１２８は、フレキシブル配線シート１４１を介して隣接するＡ駆動部１３１に接続される。そして、これら駆動部１３３は、テレビジョン受像機本体２００に設けた表示制御部２２０にコードを介して接続される。
【００４３】
ここで、下部連結筺体１７２には、短冊状の基板からなるＡ駆動部１３１とＹ駆動部１３２が下部連結筺体１７２の長手方向に沿って配置され、この他に外部機器との接続を可能にする端子部１４２と、操作スイッチを備えた操作基板１３４と、スピーカ１３８が内蔵される。
【００４４】
一方、テレビジョン受像機本体２００は、マイコン２０１が、リモコンの赤外線による操作指示信号をリモコン受光部２０８で受信し、この操作指示に基づいて、このテレビジョン受像機１を統括的に制御する。
【００４５】
チューナ２０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
【００４６】
前記チューナ２０２で受信された放送波は、番組情報抽出部２０３でＥＰＧ情報とコンテンツ情報に分離され、音声再生部２０４と映像再生部２０５に出力される。音声再生部２０４は、プラズマディスプレイ装置１００に設けたスピーカ１３８に出力される。映像情報は、映像再生部２０５からの映像信号と画面生成部２０７からのグラフィックデータが表示合成部２０６で合成され、表示制御部２２０に出力される。
【００４７】
この実施の形態では、大容量の記憶装置としてＨＤＤ（ハードデイスク装置）２０９と、ＤＶＤ（デジタルビデオデイスク装置）２１０を備えている。そして、この実施の形態では、ＤＶＤ２１０やＨＤＤ２０９に格納されたコンテンツの再生はもちろんのこと、放送波で受信したコンテンツをＤＶＤ２１０やＨＤＤ２０９に格納することができ、また、ＤＶＤ２１０とＨＤＤ２０９の間で相互にダビングを行うことができる。
【００４８】
また、この実施の形態では、外部インターフエイス部２１１がプラズマディスプレイ装置１００に設けた端子部１３９に接続されている。したがって、この端子部１３９に外部機器を接続することで、外部インターフエイス部２１１に接続したと同様な効果を得ることができる。
【００４９】
さて、表示制御部２２０は、点灯セルの選択や放電のための制御を行うものであり、タイミング生成回路２２１と電圧生成回路１２２とデータ処理回路１２３とを含んで構成される。プラズマディスプレイ装置１００への電源はテレビジョン受像機本体２００の図示しない電源部から供給される。
【００５０】
次に、図３と図４を参照して、プラズマディスプレイ装置１００の構造を更に説明する。ここで、図３はプラズマディスプレイ装置の中央縦断面図である。図４はプラズマディスプレイ装置の柱状筺体の縦断面図である。
【００５１】
図３において、保持筺体１７０の下部連結筺体１７２には、短冊基板状のＡ駆動部１３１を上下で挟むようにＹ駆動部１３２と操作基板１３４が上下に内蔵されているＡ駆動部１３１の前面には凹状のＡ接続受部１２８が設けられている。
【００５２】
一方、表示筺体１１０は、電波シールドシート１４５と裏面パネル１５０の間に表示パネル１２０が挟まれて保持され、この周囲を端部部材１６０で保持した構造としている。裏面パネル１５０にはＡ接続部１２５が突状に設けられている。
【００５３】
この実施の形態では、凹状のＹ接続受部１２６に突状のＹ接続部１２３が差し込まれることで、表示筺体１１０と保持筺体１７０とが物理的に、かつ電気的に接続される。なお、下部連結筺体１７２の上下端部には、吸気部１７５と第１排気部１７６が設けられ、矢印に示すように、吸気部１７５から取り込まれた空気が第１排気部１７６から放出される。
【００５４】
図４において、保持筺体１７０の柱状筺体１７１には、短冊基板状のＹ処理部１２９またはＸ駆動部１３０が内蔵されている。ここでは、柱状筺体１７１ａと柱状筺体１７１ｂは同様な構造であるため、ここではＹ処理部１２９を内蔵した柱状筺体１７１ａで説明する。Ｙ処理部１２９の前面には凹状のＹ接続受部１２６が設けられている。
【００５５】
裏面パネル１５０には、Ｙ接続部１２３またはＸ接続部１２４が突状に設けられている。図４では、Ｙ接続部１２３が突状に設けられている。この実施の形態では、凹状のＹ接続受部１２６に突状のＹ接続部１２３が差し込まれることで、表示筺体１１０と保持筺体１７０とが物理的に、かつ電気的に接続される。
【００５６】
この実施の形態では、両部材の連結を強固なものとするために、裏面側より図示しないネジでとめる構造としている。なお、柱状筺体１７１の上端部には第２排気部１７７が設けられ、矢印に示すように、吸気部１７５から筺体内に取り込まれた空気が、煙突効果で第２排気部１７７から効率よく放出される。
【００５７】
次に、図５と図６を参照して、プラズマディスプレイ装置１００の外観構造について説明する。図５において、この実施の形態に係るプラズマディスプレイ装置１００は、図５（ａ）に示すように、その前面がフラットなガラス面で構成された表示筺体１１０で構成され、図５（ｂ）に示す裏面が表示筺体１１０を支持するＵ字状の保持筺体１７０で構成された極めてシンプルな形態となっている。特に、正面の形態は、両側下部にスタンド脚部１９５が設けているだけで、通電状態では点線の枠内に表示画面が表示される画面重視の造形となっている。
【００５８】
一方、裏面側は、表示筺体１１０の上端面が両側の柱状筺体１７１の先端から上端に突出し、また、柱状筺体１７１の両側の端部は面カットされて、薄型感が強調されている。
【００５９】
図６に示すように、この実施の形態に係るプラズマディスプレイ装置１００は、５０インチの表示画面１０１を想定したものであり、最大の横幅寸法Wを１２０４ｍｍ、スタンド脚部１９５を除く高さ寸法Hを７３０ｍｍ、最大奥行き寸法ｄ３を４０ｍｍに設定している。この種の５０インチ相当の表示画面を備えた従来技術のテレビジョン受像機では、最大の横幅寸法Wが１２４０ｍｍ。高さ寸法Hを８３６ｍｍ、最大奥行き寸法ｄ３を１０５ｍｍとするものが実施されている。この実施の形態に係るプラズマディスプレイ装置１００では、この従来技術に比べて最大奥行き寸法ｄ３を半分以下に設定することができる。
【００６０】
しかも、この実施の形態では、ユーザにとって目立つ部分である表示筺体１１０の奥行き寸法ｄ１を８ｍｍに設定することができるので、ユーザに薄型の筐体を実感させることができる。また、この実施の形態では、表示筺体１１０の両側に奥行き寸法ｄ２が３２ｍｍの柱状筺体１７１が形成される。しかし、この柱状筺体１７１の大きさは、細い柱状でしかも、表示筺体１１０と連続するように形成されるので、奥行き寸法ｄ１を８ｍｍの薄型感を大きく阻害することがない。
【００６１】
次に、図７（ａ）において、この実施の形態では、表示パネル１２０の裏面を裏面パネル１５０で構成し、この裏面に露出する裏面パネル１５０に放熱機能、補強機能、電波シールド機能、外装機能を持たしている。このため、裏面側に大きく露出する裏面パネル１５０を介して表示パネル１２０の発熱を効率よく放熱することができる。また、保持筺体１７０の下部連結筺体１７２は、上下端部に第１排気部１７６と吸気部１７５を設けている。したがって、下部連結筺体１７２に配置される駆動部１３３から発生する熱を、吸気部１７５から取り込んだ空気で冷やして、その暖められた空気を第１排気部１７６から効率よく排気することができる。
【００６２】
一方、吸気部１７５から取り込んだ空気は、一対の柱状筺体１７１の内部に取り込まれて、Ｙ処理部１２９とＸ駆動部１３０から発生する熱を奪って煙突効果を利用して効率よく第２排気部１７７から排気することができる。
【００６３】
また、図７（ｂ）に示すように、プラズマディスプレイ装置１００を壁面１１に取り付けた状態では、プラズマディスプレイ装置１００が保持筺体１７０の裏面側に張り出した取付面１７３を介して壁面１１に取り付けられるので、裏面パネル１５０の裏面側と壁面１１との間には、この取付面１７３と裏面パネル１５０の段差分の隙間１０が形成される。したがって、吸気部１７５から下部連結筺体１７２に取り込まれた空気は、駆動部１３３を冷やした後で第１排気部１７６から隙間１０に排出され、更に裏面パネル１５０に触れながら隙間１０を上昇することで裏面パネル１５０を冷やしながら表示筺体１１０の上方に排出される。このように、この実施の形態では、壁面取り付け時には隙間１０の煙突効果を利用して効率よく放熱を向上させることができる。
【００６４】
また図７（ｃ）に示すように、この実施の形態に係る表示筺体１１０は、保持筺体１７０に対して着脱可能であるため、この保持筺体１７０を多様な形状を備えたものにすれば、多様な設置形態や造形を備えたプラズマディスプレイ装置１００を提供することができる。即ち、この表示筺体１１０は、薄い板状の機能本位の造形であるため、裏面に配置されるＹ接続部１２３とＸ接続部１２４及びＡ接続部１２５に対して接続可能な位置関係でＹ接続受部１２６とＸ接続受部１２７及びＡ接続受部１２８を備えた保持筺体１７０であれば、どのような造形を備えた保持筺体１７０であってもプラズマディスプレイ装置１００としての機能を発揮することができる。したがって、機種展開を安価に展開することができる。
【００６５】
（第２の実施の形態）
次に、図８、図９を参照して、第２の実施の形態を詳細に説明する。ここで、図８は第２の実施の形態に係るテレビジョン受像機の外観図である。図９は第２の実施の形態に係るテレビジョン受像機の装置ブロック図である。なお、第１の実施の形態と同一部位や矢印などは同一符号をもって示し、重複した説明を省略する。
【００６６】
この実施の形態に係るテレビジョン受像機２は、第１の実施の形態に比べて表示筺体１１０ａのＸ、Ｙ接続部の配置が相違し、これに伴って保持筺体１８０のＸ、Ｙ接続受部や駆動部の配置や構造が相違している。
【００６７】
即ち、図８において、この実施の形態の形態に係る表示筺体１１０ａは、裏面の一方の片側にＸＹ接続部１４３が表示筺体１１０ａの辺方向に沿って設けられ、裏面の下部にはＡ接続部１２５が表示筺体１１０ａの辺方向に沿って設けられる構造としている。これに伴って、保持筺体１８０は、ＸＹ接続部１４３と連結するＸＹ接続受部１４６をその前面部に備えた縦長筺体部１８１と、Ａ接続部１２５と連結するＡ接続受部１２８をその前面部に備えた横長筺体部１８２とを備えたＬ型の外形状を備えている。
【００６８】
この保持筺体１８０は、第１の実施の形態の柱状筺体１７１ｂを取り除いて、その内部に設けたＸ駆動部１３０を横長筺体部１８２に設けており、他の放熱構造やスタンド脚部１９５の取付については第１の実施の形態と同様である。
【００６９】
図９において、この実施の形態に係る表示パネル１２０ａは、前面基板１２１である透明ガラス基板に水平方向に平行に配置されたＹ電極群１３７とＸ電極群１３８とが形成され、背面基板１２２にＹ電極群１３７とＸ電極群１３８と直交するＡ電極群１３９を形成し、それらの交点のセル１４０を選択して放電させ、発生する紫外線で蛍光体を発光させることでコンテンツ情報を表示させることができる。Ｙ電極群１３７とＸ電極群１３８とは片側に平行して延伸され、それぞれ交互に並んだ接続用の端子を有するＸＹ接続部１４３に接続され、Ａ電極群１２５は下側に延伸し、接続用の端子を有するＡ接続部１２８に接続される。
【００７０】
一方、ＸＹ接続部１４３とＡ接続部１２５に着脱可能に接続されるＸＹ接続受部１４６とＡ接続受部１２８は、保持筺体１８０の所定の位置に設けられる。そして、ＸＹ接続受部１４６は隣接するＸＹ処理部１４４に接続され、このＸＹ処理部１４４は横長筺体部１８２に設けられるＸ駆動部１３０とＹ駆動部１３２に接続される。また、Ａ接続受部１２８は隣接するＡ駆動部１３１に接続される。これらＸ駆動部１３０とＡ駆動部１３１及びＹ駆動部１３２からなる駆動部１３３は、コードを介してテレビジョン受像機本体２００の表示制御部２２０に接続される。
【００７１】
ここで、ＸＹ処理部１４４は、Ｙ駆動部１３２とＸ駆動部１３０をＸＹ接続部１４３に接続するための処理回路が設けられるので画質に大きく影響する。そこで、表示パネル１２０の一方の片側にその辺方向に沿って隣接して設け、駆動部１３３をユーザからは目立ち難い表示パネル１２０の下部となる横長筺体部１８２に設けている。
【００７２】
なお、ＸＹ処理部１４４は、１ライン毎に独立してスキャンパルスを印加するために必要なドライバＩＣを含み、同時にＹ駆動部１３２からのリセット、維持放電を全ピン出力する。このように、ＸＹ処理部１４４はパルス電極を直接駆動するためのドライバ回路であるため、この実施の形態では表示パネル１２０の近傍に近接配置することで、ＩＣ出力からのインピーダンス増大の影響を少なくしている。
【００７３】
また、Ｙ駆動部１３２とＸ駆動部１３０は、パネル放電発光のドライブ供給源であり、交互に配置されるＸ電極群１３８とＹ電極群１３７に維持放電パルスを印加する回路である。また、Ｘ−Ｙ間の面リセットで1フレーム毎の表示を更新可能とする。なお、Ｙ電極群１３８はデータアドレス時のスキャンパルスの印加も行う。
【００７４】
（裏面パネルの他の応用例）
次に、裏面パネルの他の応用例を図１０を参照して説明する。ここで、図１０は裏面パネルの他の応用例に係る外観図であり、図１０（ａ）は後方斜視図、図１０（ｂ）は要部横断面図である。
【００７５】
図１０において、この実施の形態に係る裏面パネル１５０ｂは、この裏面パネル１５０ｂの裏面側を縦模様の凹凸形状としたものである。この実施の形態によれば、裏面パネル１５０ｂの表面積を増やすことができるので、放熱効果を向上させることができる。しかも、この凹凸模様を上下方向の凹凸模様とすることで、図７（ｂ）で説明したように、排気空気の上昇方向とすることで、放熱効果を一層向上することができる。また、この凹凸模様の形状であれば、軽量化を図りながら溝方向に対する強度を向上することができる。更に、外観を一様な凹凸模様を施すことで、成型や製造過程での歪みや荒さを目立たなくすることができるので、意匠性を向上することができる。
【００７６】
以上説明したように、この実施の形態に係るテレビジョン受像機に適用可能なプラズマディスプレイ装置は、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するものであって、前記表示パネルを備えた表示筐体と、この表示筐体を着脱可能に保持する保持筐体とを含んで構成され、前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群と前記サステイン電極群が接続される接続部と、アドレス電極群が接続されるアドレス接続部とを備え、前記保持筐体は、前記表示筐体の前記接続部と前記アドレス接続部の取り付け位置に対応して設けられる接続受部とアドレス接続受部と、これら接続受部とアドレス接続受部と接続される駆動部とを備え、前記駆動部は、前記スキャン電極群に維持放電パルスを印加するＹ駆動部と、前記サステイン電極群に維持放電パルスを印加するＸ駆動部と、前記アドレス電極群にデータパルスと駆動電圧を供給するアドレス駆動部とを含んで構成され、前記表示筐体と前記保持筐体は、前記接続部と前記接続受部及び前記アドレス接続部と前記アドレス接続受部との連結を介して着脱可能に接続される。
【００７７】
また、この実施の形態に係るテレビジョン受像機に適用可能な他のプラズマディスプレイ装置は、前記表示パネルを備えた表示筐体と、この表示筐体を着脱可能に保持する保持筐体とを含んで構成され、前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群が接続されるＹ接続部と、前記サステイン電極群が接続されるＸ接続部と、アドレス電極群が接続されるアドレス接続部とを備え、前記保持筐体は、前記表示筐体の前記Ｙ接続部と前記Ｘ接続部と前記アドレス接続部の取り付け位置に対応して設けられるＹ接続受部とＸ接続受部とアドレス接続受部と、これらＹ接続受部とＸ接続受部とアドレス接続受部と接続される駆動部とを備え、前記駆動部は、前記Ｙ接続受部を介して前記スキャン電極群の各ライン毎に独立してスキャンパルスを印加するＹ処理部と、該Ｙ処理部を介して前記スキャン電極群に維持放電パルスを印加するＹ駆動部と、前記Ｘ接続受部を介して前記サステイン電極群に維持放電パルスを印加するＸ駆動部と、前記アドレス接続受部を介して前記アドレス電極群にデータパルスと駆動電圧を供給するアドレス駆動部とを含んで構成され、前記Ｙ接続受部に隣接してＹ処理部、前記Ｘ接続受部に隣接してＸ駆動部、アドレス接続受部に隣接してアドレス駆動部がそれぞれ設けられ、前記表示筐体と前記保持筐体は、前記Ｙ接続部と前記Ｙ接続受部、前記Ｘ接続部と前記Ｘ接続受部及び前記アドレス接続部と前記アドレス接続受部との連結を介して着脱可能に接続される。
【００７８】
また、この実施の形態に係るテレビジョン受像機に適用可能な他のプラズマディスプレイ装置は、前記表示パネルを備えた表示筐体と、この表示筐体を着脱可能に保持する保持筐体とを含んで構成され、前記表示筐体は、前記表示パネルの主面となる前部を覆う電波シールドシートと、該電波シールドシートと対向する裏面側に前記表示パネルを強度的に保持し、かつ前記表示パネルの裏面を導電性の部材で覆う裏面パネルと、該表示筐体の周側面を導電性の部材で覆う端部部材と、前記スキャン電極群と前記サステイン電極群が接続されるＸＹ接続部と、アドレス電極群が接続されるアドレス接続部とを備え、前記保持筐体は、前記表示筐体の前記ＸＹ接続部と前記アドレス接続部の取り付け位置に対応して設けられるＸＹ接続受部とアドレス接続受部と、これらＸＹ接続受部とアドレス接続受部と接続される駆動部とを備え、前記駆動部は、前記ＸＹ接続受部を介して前記スキャン電極群の各ライン毎に独立してスキャンパルスを印加するＸＹ処理部と、該ＸＹ処理部を介して前記スキャン電極群に維持放電パルスを印加するＹ駆動部と、前記ＸＹ接続受部を介して前記サステイン電極群に維持放電パルスを印加するＸ駆動部と、前記アドレス接続受部を介して前記アドレス電極群にデータパルスと駆動電圧を供給するアドレス駆動部とを含んで構成され、前記ＸＹ接続受部に隣接してＸＹ処理部、前記アドレス接続受部に隣接してアドレス駆動部がそれぞれ設けられ、前記表示筐体と前記保持筐体は、前記ＸＹ接続部と前記ＸＹ接続受部及び前記アドレス接続部と前記アドレス接続受部との連結を介して着脱可能に接続される。
【図面の簡単な説明】
【００７９】
【図１】第１の実施の形態に係るテレビジョン受像機の概略図である。
【図２】第１の実施の形態に係るテレビジョン受像機の装置ブロック図である。
【図３】第１の実施の形態に係るプラズマディスプレイ装置の断面図である。
【図４】第１の実施の形態に係るプラズマディスプレイ装置の断面図である。
【図５】第１の実施の形態に係るプラズマディスプレイ装置の外観斜視図である。
【図６】第１の実施の形態に係るプラズマディスプレイ装置の寸法体系図である。
【図７】第１の実施の形態に係るプラズマディスプレイ装置のプラズマディスプレイ装置の設置状態図である。
【図８】第２の実施の形態に係るテレビジョン受像機の外観図である。
【図９】第２の実施の形態に係るテレビジョン受像機の装置ブロック図である。
【図１０】他の応用例に係るプラズマディスプレイ装置の裏面パネルの外観図である。
【符号の説明】
【００８０】
１…テレビジョン受像機、１０…隙間、１１…壁面、１００…プラズマディスプレイ装置、１０１…表示画面、１１０…表示筺体、１２０…表示パネル、１２１…前面基板、１２２…背面基板、１２３…Ｙ接続部、１２４…Ｘ接続部、…１２５Ａ接続部、１２６…Ｙ接続受部、１２７…Ｘ接続受部、１２８…Ａ接続受部、１２９…Ｙ処理部、１３０…Ｘ駆動部、１３１…Ａ駆動部、１３２…Ｙ駆動部、１３３…駆動部、１３４…操作基板、１３５…スピーカ、１３７…Ｙ電極群、１３８…Ｘ電極群、１３９…Ａ電極群、１４０…セル、１４１…フレキシブル配線シート、１４２…端子部、１４３…ＸＹ接続部、１４４…ＸＹ処理部、１４５…電波シールドシート、１５０…裏面パネル、１６０…端部部材、１７０…保持筺体、１７１…柱状筺体、１７１ａ…柱状筺体、１７１ｂ…柱状筺体、１７２…下部連結筺体、１７３…取付面、１７４…取付穴、１７５…吸気部、１７６…第１排気部、１７７…第２排気部、１８０…保持筺体、１８１…縦長筺体部、１８２…横長筺体部、１９５…スタンド脚部、２００…テレビジョン受像機本体、２２０…表示制御部。
【図１】
2009239560.tif 000003
【図２】
2009239560.tif 000004
【図３】
2009239560.tif 000005
【図４】
2009239560.tif 000006
【図５】
2009239560.tif 000007
【図６】
2009239560.tif 000008
【図７】
2009239560.tif 000009
【図８】
2009239560.tif 000010
【図９】
2009239560.tif 000011
【図１０】
2009239560.tif 000012